(57)【要約】  本発明は、膨張式安全胴衣に確実に接続されるように設計された、かつ箱（３）が着脱可能に挿入され得る第１の開口部（２１）を含む、容器（２）を備え、箱は少なくとも電子カード、接続手段、及びエネルギー貯蔵装置を含む、ことを特徴とする膨張式安全胴衣の展開作動システム（１）である。第１の開口部（２１）の上部には筐体（２２）を備え、該筐体の底には容器（２）を接続する手段が備えられ、筐体の中には箱（３）の少なくとも上部（３１）が容器に気密に接続されるように挿入され得る。【選択図】図１
2018505321.tif 000002
【特許請求の範囲】
【請求項１】
膨張式安全胴衣の展開作動システムであって、
前記膨張式安全胴衣に固定されるように設計された、かつ箱が着脱可能に挿入され得る第１の開口部を含む、容器を備え、
前記箱は少なくとも１つの電子カード、接続手段、及びエネルギー貯蔵装置を含み、
前記第１の開口部の上部には筐体を備え、該筐体の底には前記容器を接続する手段が存在し、前記筐体の中には前記箱の少なくとも前記上部が前記容器に気密に接続されるように挿入され得る、ことを特徴とする、展開作動システム。
【請求項２】
前記容器の前記接続手段は、プラスチック製でありかつ発泡体形状の密封要素と関連付けられることを特徴とする、請求項１に記載の変位作動システム。
【請求項３】
前記第１の開口部は、前記筐体中に前記箱が挿入され得るように前記箱の摺動を許容しながら前記第１の開口部の前記底で前記箱を支持するための該第１の開口部の各側の支持レール、及び前記第１の開口部の底部に位置しかつ前記箱を挿入位置に係止する可撓性取付け要素を備えることを特徴とする、請求項１または２に記載の変位作動システム。
【請求項４】
前記箱は、記容器の前記支持レールと協働して該支持レールに挿入されるように設計された取付け要素を備えることを特徴とする、請求項３に記載の変位作動システム。
【請求項５】
前記箱の前記上部の形状は、一方向にのみ位置付け及び挿入が可能であるように非対称であることを特徴とする、請求項１〜４のうちいずれか１項に記載の変位作動システム。
【請求項６】
前記箱の前記上端部の非対称形状は、前記容器に作製されたパターンについての少なくとも部分的な繰返しであることを特徴とする、請求項５に記載の変位作動システム。
【請求項７】
前記箱の前記接続手段は、前記箱の前記上端部に位置し、かつそれらの形状は前記容器の密封要素の形状と相互補完的であることを特徴とする、請求項２〜６のうちいずれか１項に記載の変位作動システム。
【請求項８】
前記容器は、スキーヤが前記安全胴衣を着用しているときスキーヤの腰椎の背後で前記膨張式安全胴衣上に固定されるように配設される吸収材料製の背面保護具に固定されることを特徴とする、請求項１〜７のうちいずれか１項に記載の変位作動システム。
【請求項９】
前記容器は、ガスを生成または放出して安全胴衣の展開を可能にするために膨張手段が中に裏向きに配置され得る第２の 開口部を備えることを特徴とする、請求項１〜８のうちいずれか１項に記載の変位作動システム。
【請求項１０】
前記膨張手段は圧縮ガスカートリッジであることを特徴とする、請求項１〜８のうちいずれか１項に記載の変位作動システム。
【発明の詳細な説明】
【技術分野】
【０００１】
本発明は、一般に、スキー時の転倒に関連する負傷の防止分野に関し、特に、膨張式安全胴衣の展開作動用の電子システムに関する。
【背景技術】
【０００２】
ますます広まってきたスキー滑走の仕方、特に、モトクロスからの発想による斜面外スキー滑走及びアルペンスキー競技またはスキークロスのスキー滑走等の「極限的な」スキー滑走に伴って、転倒時にスキーヤ、特に、その身体のうちの最も露出した部位、例えば、首のうなじ、胸郭、脊柱、腹、及び腰等、を保護するように設計されたシステムの開発が企図されてきた。
【０００３】
このように、「受動的」保護具は、スキーヤによりそのスキースーツ下に着用される半硬質補強材を含めて開発されてきた。これらの保護具は効果的であるのだがスキーヤの動作を限定することによりその演技をも制限するという大きな不都合さがあることに疑いはない。
【０００４】
「能動的」保護具はこの不都合さを克服すべく生産されてきた。この種の保護具は、転倒時の地面との激しい接触を防止するために、スキーヤが転倒しかけたときにガスにより極めて迅速に膨張可能な非常にコンパクトな膨張式胴衣から従来は構成されていた。膨張式外皮及びこの外皮に固定されてこの外皮の膨張を起動可能な展開システムを備えたこの胴衣の動作は、車両中に装着されたエアバッグの動作と類似している。
【０００５】
これらの能動的保護具の開発中に遭遇する主要な問題のうちの１つは、膨張式安全胴衣の展開作動用システムの開発である。何故ならば、これらのシステムは少なくともセンサ、マイクロプロセッサ、メモリ、無線通信モジュール、外皮を膨張させ得る膨張手段、ユーザインターフェース、及び充電型であれば好都合なエネルギー貯蔵装置を収容しており、アルゴリズムを使用してリアルタイムにユーザの動作を評価して特定の状況下で安全胴衣の展開を作動させなければならないからである。これらの動作には作動システムひいては膨張式安全胴衣の耐久性に実質的な制限を及ぼす多大なエネルギーが必要であるため、胴衣の使用の妨げとなる頻繁な充電を要し、胴衣を使用不能ともし得る。更に、作動方式の変更によって時間の経過と共に改良（アルゴリズム、新型センサ等に対する変更）される可能性も高い。したがって、過酷な使用条件、即ち、高相対湿度、極低温度及び頻繁な衝撃、を考慮しながら、起動システムをそのソフトウェア及びそのハードウェアの両面で容易にアップグレード可能であることが重要である。
【発明の概要】
【発明が解決しようとする課題】
【０００６】
したがって、この発明の目的は、上述の不都合さを軽減して、スキーヤ用膨張式安全胴衣の展開システムの作動用の信頼性のあるシステム、特に、極限の使用条件に耐えかつ製造及び使用ならびにそのソフトウェア及びハードウェアの維持及びアップグレードが容易なシステムを開示することにある。
【課題を解決するための手段】
【０００７】
したがって、本発明の第１の目的によれば、膨張式安全胴衣の展開作動用のシステムであって、膨張式安全胴衣に固定されるように設計されかつ箱が着脱可能に挿入され得る第１の開口部を備えた容器を備え、箱は少なくとも１つの電子カード、接続手段、及びエネルギー貯蔵装置を備え、第１の開口部の上部はその底に容器を接続する手段が存在しかつその中に箱の少なくとも上部が容器に気密に接続されるように挿入され得る筐体を備える点で卓越したシステムが開示される。
【０００８】
容器の接続手段は好ましくは、プラスチック製でかつ発泡体形状である密封要素と関連付けられる。
【０００９】
好都合なことに、第１の開口部は、筐体中に箱が挿入され得るように箱の摺動を許容しながら第１の開口部の底で箱を支持するための該第１の開口部の各側の支持レール、及び第１の開口部の底部に位置しかつ箱を挿入位置に係止する可撓性取付け要素を備える。
【００１０】
箱は、容器の支持レールと協働してこの支持レールに挿入されるように設計された取付け要素を備える。
【００１１】
好ましい一実施形態によれば、箱の上部の形状は、一方向にのみ位置付け及び挿入が可能であるように非対称である。
【００１２】
箱の上端部の非対称形状は、容器に作製されたパターンについての少なくとも部分的な繰返しである。
【００１３】
箱の接続手段は、箱の上端部に位置し、かつそれらの形状は容器の密封要素の形状と相互補完的である。
【００１４】
好ましくは、容器は、スキーヤが安全胴衣を着用しているときスキーヤの腰椎の背後で膨張式安全胴衣上に固定されるように配設される吸収材料製の背面保護具に固定される。
【００１５】
容器は、ガスを生成または放出して安全胴衣の展開を可能にするために膨張手段が中に裏向きに配置され得る第２の開口部を備え、膨張手段は圧縮ガスカートリッジである。
【００１６】
他の利点及び特徴は、本発明によるスキーヤ用の膨張式安全胴衣の展開の作動システムの非限定的な実施例として提示された特定の実施形態に関する以下の説明を、図面を参照しながら読むことにより明らかになるであろう。
【図面の簡単な説明】
【００１７】
【図１】図１は本発明によるスキーヤ用の膨張式安全胴衣の展開の作動システムを形成する２つの主要な要素の組立の異なるステップを示す部分斜視図である。
【図２】図２は本発明によるスキーヤ用の膨張式安全胴衣の展開の作動システムを形成する２つの主要な要素の組立の異なるステップを示す部分斜視図である。
【図３】図３は本発明によるスキーヤ用の膨張式安全胴衣の展開の作動システムを形成する２つの主要な要素の組立の異なるステップを示す部分斜視図である。
【発明を実施するための形態】
【００１８】
図１〜図３は、好ましくはスキーヤにより使用される図示しない張式安全胴衣の展開作動システム１を示す。この作動システム１はケース２を備えているが、このケース２は、膨張式胴衣に固定されかつ電子器具を収容する箱３を裏向きに中に配置し得る第１の開口部２１を含む。第１の開口部２１は筐体２２を上端部として備える。この筐体２２中には箱３の少なくとも上端部３１が箱中への滴下を防止するために上向き移動により挿入される（図２中に方向Ｄを参照）。
【００１９】
この説明では、水平な地面上の直立姿勢のスキーヤにより着用される膨張式安全胴衣に関する展開作動システム１について説明を行う。当然、スキーヤは別の姿勢であってもよく、その場合、例えば、水平な、垂直な、上の、下の、上端のまたは底の等の、用語を使用することとする。
【００２０】
さらに、用語「裏向きに」は本明細書中で、ケース２中の箱３の容易で迅速な配置（またはこれとは反対の取外し）を可能にするようにケース２及び箱３が設計されることを意味するように使用することとする。このような配置及び取外しの動作は、ケース２または箱３に損傷を及ぼさずにこれらの動作回数に対する実際的な制限なく反復的に実行可能であり、しかも何らの特有の専門的技量または特別の用具が無くても誰でもが行い得る。スキーヤの場合、これらの配置または取外し動作はそのスキーヤが手袋を着用中であっても実行し得る。
【００２１】
第１の開口部２１は、第１の開口部２１の底に箱３を支持しかつ筐体２２中に挿入し得るように箱を摺動させるために第１の開口部２１の各側に支持レール２３を備えると共に、第１の開口部２１の底部に位置して挿入位置に箱３を係止する可撓性取付け要素２４を備える。支持レール２３及び可撓性取付け要素２４は、本発明による作動システム１が膨張式安全胴衣の展開のためのその検出機能及び作動機能を遂行し得るように、極限の使用条件下であっても筐体２２中の挿入位置での箱３の完璧な係止を確実なものとする。
【００２２】
箱２の係止も極めて容易であること、及びスキーヤが手袋を着用しているときであっても箱３の配置及び取外しの動作を１０秒未満で極めて迅速に行い得ることは、理解容易である。
【００２３】
ケース２は、筐体２２の底に容器と箱３との間で接続を行う図示しない接続手段を備える。この接続手段は、プラスチックで発泡体形状に作製された密封要素を備えるのが好都合である。
【００２４】
装着を容易にするために、ケース２の接続手段は箱３に対する電線型接続が可能である。
【００２５】
しかし、ケース２と箱３との間の接続は、本発明の構成から逸脱しない限り、例えば、ブルートゥース（登録商標）技術またはＲＦＩＤ（無線周波数認識）技術等の、技術を利用した無線型でもあり得ることが理解されるであろう。
【００２６】
好ましい一実施形態によれば、胴衣がスキーヤに着用されてかつこれが吸収発泡体製であるとき、スキーヤの腰椎背後に位置する、膨張式安全胴衣に固定された背面保護具４にケース２は固定される。ケース２はまた、安全胴衣の展開用ガスを生成または放出し得る図示しない膨張手段保持用の第２の開口部２５を含む。これらの手段は、圧縮ガスカートリッジであれば好都合である。
【００２７】
図示しない一変形実施形態によれば、膨張手段は箱３中に一体化され、例えば箱３上に作られた凹部に挿入可能である。
【００２８】
箱３は図示しない電子カードを備える。この電子カードは少なくとも、動作分析、数種のセンサに関するリスク状況の検出、及び、好ましい実施形態では圧縮ガスカートリッジに収容されたガスの高速放出からなる膨張手段の作動を行う機能を含む、
【００２９】
電子回路基盤は、接続手段及び無線通信手段も備える。箱３はまた、図示しないエネルギー貯蔵装置を備える。このエネルギー貯蔵装置は、膨張手段を作動させるために電子カードにエネルギーを供給し得る充電型であれば好都合である。
【００３０】
箱３は、平行六面体の全体形状にもかかわらず、その上端部３１が非対称に作製される。この非対称性はケース２上に形成されたパターン２６にも少なくとも部分的に再現されるため、箱３は単一方向のみの位置付け及び挿入が可能である。
【００３１】
更に、箱３の長辺には、ケース２の支持レール２３と協働してこの中に挿入され得るように設計された取付け要素３２を備える。
【００３２】
箱２の上部３１には、追加の器具、例えば、少なくとも１つのスイッチ、バッテリ充電用及びコンピュータへのデータ転送用のマイクロＵＳＢポート、ならびに膨張手段用の電源コネクタ等、が備えられる。この追加の器具及び箱３とケース２との間の接続手段の形状はケース２の密封要素の形状に対して相互補完的であり、箱が筐体２に挿入されて支持レール２３及び可撓性取付け要素２４により適所に締結されたときにケース２と箱３との間で優れた密封を確実なものとする。
【００３３】
更に、ケース２の筐体２２内に箱２を上向きに挿入してその内部に進入させるとき、その上部３１は筐体２２の壁により覆われるために保護され（図２を参照）、これにより上部３１とケース２との間の接続区画全体が保護されることになることが理解されるであろう。更に、箱２を取外した場合にも、ケース２の接続手段はやはり保護されることになる。
【００３４】
このように、ケース２中への箱３の配置またはその取外しが特に容易であるため、スキーヤは数個の箱を携帯してケース２内に接続した箱のエネルギー貯蔵装置が放電しきったときにこれを交換することが可能である。ユーザは本発明による作動システム１及びその関連の安全胴衣を使用し続けながら箱３の充電または新品との交換を行い得る。
【００３５】
本発明による膨張式安全胴衣の展開作動システム１は好ましくはスキーヤによる使用のためのものであることが理解されるであろう。しかし、本発明による作動システム１が例えばオートバイライダが着用する膨張式安全胴衣に適しかつこれに使用可能であることは明らかである。
【００３６】
最後に、上述の本発明による膨張式安全胴衣の展開作動システム１の実施例は単なる特定の説明に過ぎず、如何なる方法によっても本発明を限定するものではない。
【図１】
2018505321.tif 000003
【図２】
2018505321.tif 000004
【図３】
2018505321.tif 000005
【国際調査報告】
2018505321.tif 000006
2018505321.tif 000007
2018505321.tif 000008
2018505321.tif 000009
2018505321.tif 000010
2018505321.tif 000011